(57)【要約】      （修正有）【課題】ワーク曲げ径の違いによって金型を補填するごとにラム押圧力の不足を自動調整して補助できるようにすることで、高精度で信頼性の高いパネル折り曲げ装置を提供する。【解決手段】駆動源２０の動力を倍力機構７，８，９で倍加してラム２の上下動ストロークによる押圧力に変換し、ラムに保持されて一体に上下動する上型３を含む金型によってパネルを所要の形状に曲げ加工するパネル折り曲げ装置であって、上型を厚さの増大したものに変更することで厚さ増大分１０だけ短くなるラムのストロークを、ストローク調整装置３０によって最大の押圧力を発生する長さに補正する。【選択図】図６
2011218443.tif 000002
【特許請求の範囲】
【請求項１】
駆動源の動力を倍力機構で倍加してラムの上下動ストロークによる押圧力に変換し、前記ラムに保持されて一体に上下動する上型を含む金型によってパネルを所要の形状に曲げ加工するパネル折り曲げ装置において、
前記上型を厚さの増大したものに変更することで厚さ増大分だけ短くなる前記ラムのストロークを、ストローク調整装置によって最大の押圧力を発生する長さに補正することを特徴とするパネル折り曲げ装置。
【請求項２】
前記倍力機構が複数のリンク部材を連結してなるトグルリンクであり、前記リンク部材の１つの端部を押圧力の倍加した力点にして前記ラムに連結したことを特徴とする請求項１に記載のパネル折り曲げ装置。
【請求項３】
前記ストローク調整装置は、前記リンク部材の端部である力点の位置を変位させることによって、前記トグルリンクを変動させて最大押圧形状にすることを特徴とする請求項２に記載のパネル折り曲げ装置。
【請求項４】
前記上型を厚さの増大したものに変更する場合、厚さ増大した上型が単体または複数のものからなっていることを特徴とする請求項１乃至３のいずれか１つに記載のパネル折り曲げ装置。
【請求項５】
前記パネルにおいて曲げ径が異なる部位の曲げ加工に対応して前記上型の数が増減して上型厚さが変化するごとに、前記ストローク調整装置によって前記トグルリンクを変動させて最大押圧形状にすることを特徴とする請求項１乃至４のいずれか１つに記載のパネル折り曲げ装置。
【請求項６】
前記ストローク調整装置は、前記リンク部材の力点である端部と前記ラムとを連結する偏心シャフトを有し、前記偏心シャフトの偏心量は厚さ増大した前記上型の増大寸法に等しく設定してあり、回転動力で前記偏心シャフトを回転させることによって前記リンク部材の端部である力点の位置を前記偏心量だけ変位させることを特徴とする請求項１乃至５のいずれか１つに記載のパネル折り曲げ装置。
【発明の詳細な説明】
【技術分野】
【０００１】  本発明は、一般に鍛圧機械と呼ばれ、鉄鋼板など金属製のパネルを加工素材として曲げ加工するプレスブレーキやパネルベンダー等のパネル折り曲げ装置に関するものである。
【背景技術】
【０００２】  金属製パネルをワークに折り曲げ加工して製品のケースやハウジングなど筺体物を製造するにあたり、図９はその製造工程における通称「シゴキ曲げ」による板金加工例を概略的に示す。また、図１０は、シゴキ曲げによるフランジ曲げ加工を行うパネルベンダーの構造例を概略的に示す。ベンダー本体の全体骨格を形成するフレーム１にラム２が左右方向のほぼ横幅一杯の長さで設けられ、ラム両端は上下方向にスライドして昇降動が可能にフレーム側板に支持されている。また、ラム２の下端に沿ってほぼ同等の長さを有する上型３がボルト結合などして保持され、ラム２に伴って一体に上下動する。また、フレーム１の下方でベースとなる部分の上面には下型４が固定して設けられ、この下型４は上型３に対をなして同等な長さを有している。機体に搬入してセットされたワーク５は上型３と下型４による金型一対間に挟み込まれ、図９中矢印Ｐで示す押圧力でクランプされる。【０００３】  また、図９に示すように、フレーム１の背面側にはシゴキ曲げ型６ａ，６ｂが上下の位置に対向してホルダに保持されている。図示例の場合、下方のシゴキ曲げ型６ａを上昇動させ、クランプ状態のワーク５の耳端部５ａに当接させてシゴキ上げて所要の角度にフランジ曲げ加工する。【０００４】  上型３によってワーク５をクランプする押圧力Ｐはラム２の下降動に伴って付与される。ラム上下動の動力にはこれまで一般的に油圧が使用されてきたが、近年、本出願人を含む鍛圧業界においては、油圧駆動方式に代えてＡＣサーボモータを用いたサーボ駆動方式の開発が主流となってきている。図１０に示すパネルベンダーの場合、そうしたＡＣサーボモータの回転出力をトグルリンク機構などの倍力装置に伝達し、倍力装置で倍加した押圧力Ｐをラム２に伝え、そのラム２に保持された上型３によって下型４と協働してワーク５をクランプする。【０００５】  トグルリンク機構は、フレーム１の左右横幅方向の両側にそれぞれ２つのリンク部材７，８からなる組み合わせの一対が配置されている。リンク部材７，８はそれらの一端部が長尺のロッド９との三体一緒にヒンジピン１０でそれぞれの動きが可能に連結されている。下方のリンク部材７の他端部はラム２にヒンジピン１２で回動可能に軸支され、上方のリンク部材８の他端部は上部のフレーム１にヒンジピン１１で回動可能に軸支されている。すなわち、ヒンジピン１１はトグルリンク機構として力を倍加するための支点となり、ヒンジピン１２はラム２を上型３と一体に押し下げて押圧力Ｐをワーク５に付与する力点となる。【０００６】  ロッド９は図１０中の矢印Ｆで示す水平方向に往復動し、そのロッド水平動作でリンク部材７，８が鈍角α°のく字形状からほぼ一直線形状になる上死点前の最大鈍角になるまで形状変化する。ロッド９を往復動させる力は図示しないＡＣサーボモータの回転動力を往復動に変換する駆動源機構から伝達される。したがって、上死点直近の最大鈍角で最大の押圧力Ｐｍａｘをラム２に押し下げ力として付与し、ラム２に一体結合された上型３を押し下げて下型４と協働してワーク５をクランプ位置決めする。【０００７】  一方、図１１（ａ），（ｂ）に示すように、１枚のワーク５において耳端部５ａのフラン��曲げ径ＲがＲ１、Ｒ２といったように異なる寸法の部位を工程を変えて曲げ加工する製品が多々ある。その場合、曲げ径Ｒ１，Ｒ２の加工に対応する金型をその度ごとに交換するのでは加工タクトが非常に長くなって不都合である。そのため、前回の曲げ径Ｒ１に用いた上型３に図１２に示す別途用意された第２の上型１０を重ね合わせて結合し、曲げ径Ｒ２による曲げ加工ができる抱き合わせ金型にする場合がある。再び当初の曲げ径Ｒ１の曲げ工程に戻るときは、第２の上型１０を第１の上型３から離脱させて原位置に復帰させ、つぎの曲げ径Ｒ２による曲げ工程まで待機させる。【０００８】  ところで、図１２に示すように、第２の上型１０を重ねて補充した場合、増大したその型厚さ寸法Ａだけラム２が上下動するストロークは当初設定した長さ距離と比べて短くなる。ラム２のストロークが短くなると、リンク部材７，８がなす鈍角α°はより小さくなり、たとえば上死点前に当初設定した最大の押圧力Ｐｍａｘが弱くなって不足する。【０００９】  従来、そうした最大押圧力Ｐｍａｘの不足を補償するために鍛圧業界では様々な研究が行われてきた（たとえば、特許文献１参照）。この特許文献１の技術によれば、第２の上型１０を重ね合わせたときの増大厚さ寸法分だけ半リング形状のトーションばねを弾性圧縮させ、そのばね弾発力でワークのクランプ力を得ようとするものである。【００１０】
【特許文献１】  特願２０００−６１２０７９号公報
【発明の開示】
【発明が解決しようとする課題】
【００１１】  しかしながら、上記特許文献１に開示されたプレス機の金型加締め装置の場合、トーションばねの圧縮が長年にわたって甚大な回数で繰り返されることから、ばねが金属疲労などによって経年劣化することが経験的に分かっている。加えて、ワークのクランプ力補助にばね力を利用するのでは有効な押圧力Ｐを定量的かつ定性的に把握することは困難であり、クランプ力の信頼性低下は即ワークの曲げ径の精度に影響する不具合がある。【００１２】  そこで、本発明の目的は、ワーク曲げ径が異なる部位の曲げ工程ごとに金型を増減する場合、ラムストロークが短くなって押圧力が不足する場合に自動調整して最大押圧力が得られるよう補正することで、高精度で信頼性の高いパネル折り曲げ装置を提供することにある。
【課題を解決するための手段】
【００１３】  上記目的を達成するために本発明に係る代表的なパネル折り曲げ装置は、駆動源の動力を倍力機構で倍加してラムの上下動ストロークによる押圧力に変換し、前記ラムに保持されて一体に上下動する上型を含む金型によってパネルを所要の形状に曲げ加工するにあたり、前記上型を厚さの増大したものに変更することで厚さ増大分だけ短くなる前記ラムのストロークを、ストローク調整装置によって最大の押圧力を発生する長さに補正することを特徴とする。
【発明の効果】
【００１４】  本発明の代表的な請求項１に記載のパネル折り曲げ装置によれば以下の効果が得られる。ワークのパネルを曲げ加工する際、たとえば１つのパネルの部位ごとに曲げ径が異なる工程を有する製品が多々ある。その場合、たとえば曲げ径Ｒ１に対応する上型に別途用意された第２の上型を重ね合わせて曲げ径Ｒ２の曲げ加工を行うことがある。第２の上型を加増することにより、その増大寸法分の型厚さだけラムのストロークが短くなる。ラムのストロークが短くなると、当初設定したストロークで発生させた最大の押圧力が不足して弱まる。これを補償するために、ストローク調整装置を作動させてラムに連結されている１つのリンク部材の端部、すなわち倍加した力の力点となるそのリンク端部の位置を上型の増大寸法分だけ変位させて補正する。リンク部材の力点の位置を補正することで、トグルリンク機構が最大の押圧力を発生できるようにする。それにより、パネルを押圧してクランプする力が不足することなく、信頼性の高い高精度の曲げ加工が可能となる。
【発明を実施するための最良の形態】
【００１５】  以下、本発明によるパネル折り曲げ装置の好適な実施形態について図面を参照して詳細に説明する。なお、図９〜図１２で示した従来例の構造に対比させて本実施形態の要点が明確になるよう、共通部材には同一符号を付して重複する説明は省き、要点の部材には異なる符号を付してある。以下の説明は好適な一実施形態であるが、主旨思想を満足する範囲内で本発明はかかる一実施形態に限定されることなく他の実施形態も可能である。【００１６】  図１は、ＡＣサーボドライブ方式パネルベンダーに応用した本実施形態のパネル折り曲げ装置を背面からみて示す図である。但し、駆動方式は上記ＡＣサーボドライブ方式に何ら限定されるものではない。したがってここでは、動力駆動源２０にＡＣサーボモータ２１に用い、その出力回転、速度および方向を検出するためのエンコーダを備えている。エンコーダで検出した情報の検出信号をサーボアンプ（制御部）にフィードバックする制御の他、各種信号の検出に基づいた電子制御方式を採用できる。ＡＣサーボモータ２１の回転出力は減速機などの適宜機構を介してボールねじ２２に伝達され、そのボールねじ２２の回転を次に説明するトグルリンク機構の一部材を構成するロッド９の水平方向への往復動に変換するようになっている。【００１７】    図２（ａ），（ｂ）以下の各図に示すように、装置本体の骨格を形成するフレーム１の左右方向でいうほぼ横幅一抔に長尺押板部材であるラム２が備わっている。ラム２はその長手方向の両端でスライドして上下方向への昇降動が可能に左右のサイドフレームに支持されている。また、ラム２の下端で長手方向のほぼ全長にわたって上型３がボルト締めなどして保持され、ラム２と一体に図でいう上下方向に昇降動する。フレーム１のベース部分の上面には上型３と対をなすほぼ同等な長さを有する下型４が固定状態で保持されている。搬入されてきたワーク５は上型３と下型４による金型間に挟み込まれ、図２中の矢印Ｐで示す押圧力でクランプされる。【００１８】  一方、フレーム１の背面側にはシゴキ曲げ型６が図示略したホルダに保持されて待機しており、作動信号オンによって上下方向に移動するようになっている。図３（ａ），（ｂ）に示すように、シゴキ曲げ型６はその上昇動でクランプされているワーク５の耳端部５ａを下方から上方にしごき上げ、所要の角度にフランジ曲げ加工するための金型である。曲げ加工後は、図４（ａ），（ｂ）に示すように、ラム２に伴って上型３が上昇動してワーク５の取り外しに干渉しない高さ位置まで退避し、シゴキ曲げ型６もまた下降動して退避するように構成されている。【００１９】  つぎに、上記トグルリンク機構の構成ならびに当該機構に連動するストローク調整装置３０について説明する。【００２０】  まず、トグルリンク機構は２つのリンク部材７，８が装置にむかって左右両側に一対ずつ配置され、それらリンク部材７，８の一端部がロッド９と三体でヒンジピン１０によって連結され、ロッド９の水平動に伴って回動可能に軸支されている。図でいう下方のリンク部材７の他端部はラム２にヒンジピン１２で回動可能に軸支して連結されている。また、上方のリンク部材８の他端部はフレーム１上部にヒンジピン１１で回動可能に���支して連結されている。このヒンジピン１１はフレーム１に対して位置不動の固定ピンであり、トグルリンク機構として力を倍加するための支点となる。【００２１】  ロッド９は図１中の矢印Ｆで示す水平方向に往復動し、そのロッド往復動作でリンク部材７，８は鈍角α°のく字形状からほぼ一直線形状になる上死点前の最大鈍角になるまでまたはその逆に形状変化する。リンク部材７，８は上死点前の最大鈍角で最大の押圧力Ｐｍａｘを発生する。その場合、上方のヒンジピン１１を支点にして、下方のリンク部材８の端部を連結した後述の偏心シャフト３４を介してしてラム２に最大の押圧力Ｐｍａｘを付与する。ラム２に付与された最大の押圧力Ｐｍａｘを上型３による押し下げ力として伝え、下型４との協働でワーク５をクランプする。その状態でシゴキ曲げ型６によるワーク５のフランジ曲げ加工に備える（図３参照）。【００２２】  ここで、上記ストローク調整装置３０について図５および図６を参照して説明する。【００２３】  ストローク調整装置３０は、ラム２の長手方向すなわち左右方向に長尺のラックギア３１がフレーム１などに保持されて両側に配置した二組のリンク部材７，８にさし渡る長さを有して水平動が可能となっている。かかるラックギア３１は、シリンダ装置３５のピストンに連結されて水平方向に往復動し、そのラックギア３１に噛合してピニオンギア３３がギア軸３２上で時計廻り方向または反時計廻り方向に回転可能である。【００２４】  さらに、ピニオンギア３３のギア軸３２には軸心を偏心量Ａだけずれて偏心させた偏心シャフト３４が一体回転可能に結合されている。その偏心シャフト３４の軸上にリンク部材７の他端部が一体に結合されている。次に説明するように、偏心量Ａは第１の上型３に下から重ね合わせて補充される第２の上型１０の「型厚さ寸法Ａ」と同等に設定してある。【００２５】  本実施形態においては、ラックギア３１の往復動によってピニオンギア３３は時計廻り方向または反時計廻り方向にたとえば角度１８０°半回転するように設定されている。ピニオンギア３３の半回転と一体に偏心シャフト３４が半回転し、さらにその半回転と一体にリンク部材７が１８０°角度位相分の偏心量（Ａ／２）だけ図の上下方向に位置を変動するようになっている。リンク部材７の端部を結合した偏心シャフト３４は押圧力Ｐをラム２に伝達する支軸となり、トグルリンク機構で倍加した力を押し下げ力としてラム２に伝達する力点（作用点）となる。すなわち、偏心シャフト３４が１８０°半回転する回転位相の偏心量Ａだけリンク部材７の端部つまり力点の位置を変位させる。よって本実施形態の要旨は、リンク部材７の端部を変位させ、上方のリンク部材８との鈍角α°が最大の押圧力Ｐｍａｘを発生する上死点もしくは上死点前になるよう、トグルリンク機構の形状をストローク調整装置３０で変動させることである。【００２６】  以上の構成から、本実施形態のパネル折り曲げ装置ではつぎのように動作して所要の作用および効果を得ることができる。【００２７】  図２（ａ），（ｂ）に示すように、リンク部材７，８が一直線状に揃うたとえば上死点手前の鈍角で最大の押圧力Ｐｍａｘでもってワーク５をクランプ保持する。続いて、図３（ａ），（ｂ）に示すように、シゴキ曲げ型６が上昇動し、ワーク５の耳端部５ａを下方からシゴキ曲げて所要の角度にフランジ曲げ加工する。図４（ａ），（ｂ）に示すように、フランジ曲げ加工を終えると、ラム２が上昇してそれと一体に上型３が加工済みのワーク５を取り外せる高さ位置まで退避する。【００２８】  １枚のワーク５において、曲げ径ＲがＲ１からＲ２に変わる部位のフランジ曲げ加工に対応させるために、装置は以下のように作動する。【００２９】  図７（ａ），（ｂ）および図８に示すように、型補充スイング機構４０に保持されて待機中の第２の上型１０を当初使用の第１の上型３に重ね合わせてセットする。制御装置から作動信号が送られると型補充スイング機構４０はスイング作動して、保持している第２の上型１０を移動させて第１の上型３に下から重ね合わせる。第１の上型３に下方から第２の上型１０を取り付けた後の結合形態については凹凸嵌合やボルト結合など様々な構造があるのでここでは特に詳しい説明を省く。また、型補充スイング機構４０についても図８に示す構造に特に限定されない。要は、人力交換作業に頼らず、自動化で第２の上型１０を第１の上型３に重ね合わせる位置まで供給できるメカニズムであればよい。【００３０】  第２の上型１０が補充されると、その第２の上型１０の型厚さ寸法Ａ分だけラム２のストロークは短くなり、リンク部材７，８のなす鈍角α°が図７（ａ）中の仮想線で示すように小さくなる。それによってラム２に付与される最大の押圧力Ｐｍａｘが弱くなって不足する。そうした押圧力Ｐｍａｘの不足をストローク調整装置３０が作動して以下のように調整して補正する。【００３１】  型補充スイング機構４０に保持された第２の上型１０の移動が検出されると、その作動にほぼ同期して制御装置はストローク調整装置３０に対して作動信号を送る。ストローク調整装置３０では、シリンダ装置３５のピストンが作動してラックギア３１をたとえば図でいう右方向に水平移動させる。ラックギア３１の移動によってピニオンギア３３がたとえば反時計廻り方向に１８０°回転する。【００３２】  図５（ｃ）に示すように、ピニオンギア３３の１８０°半回転によって、同軸上の偏心シャフト３２が一体に半回転する。偏心シャフト３２の半回転によってその角度位相分の距離、すなわち第２の上型１０の型厚さ寸法Ａだけリンク部材７を変位させて位置を下げる（偏心下側）。それによって、リンク部材７，８は最大の押圧力Ｐｍａｘを発生する図２および図３に示す上死点前の最大鈍角α°の形状に変動できるようになる。すなわち、第１の上型３のみ装着時に得られた上死点前鈍角による最大の押圧力Ｐｍａｘでもってラム２を押し下げ可能となる。【００３３】  図５（ｂ）に示すように、最大押圧力Ｐｍａｘでクランプされた状態のワーク５に対して、その耳端部５ａをシゴキ曲げ型６が上昇動してシゴキ上げ、耳端部５ａを目標とする曲げ径Ｒ２でフランジ曲げ加工する。【００３４】  ワーク５の曲げ径Ｒ２によるフランジ曲げ加工を終えると、図６（ｂ）に示すように、シゴキ曲げ型６が下降動して加工終了ワークに干渉しない位置まで退避する。次の曲げ工程において第２の上型１０を必要としない場合、ラム２と一体に第１の上型���を上昇動させて加工終了ワークに干渉しない位置まで退避させる。この退避動作にほぼ同期して、型補充スイング機構４０を作動させて第２の上型１０を第１の上型３から離脱させ、原位置（図８参照）に戻す。【００３５】  かかる一連の作動に合わせて、図６（ｃ）に示すように、ストローク調整装置３０が作動してラックギア３１をたとえば図の左方向に水平移動させる。ピニオンギア３３は時計廻り方向へ１８０°半回転し、それと一体に偏心シャフト３４が同じく時計廻り方向に１
８０°半回転する。それによって偏心量Ａだけリンク部材７が変動して位置を上げる（偏心上側）。【００３６】  以上のように、１枚の同一のワーク５に対して曲げ径がＲ１からＲ２に曲げ工程が変わるごとに、あるいは曲げ径Ｒ２の加工を終えて再び曲げ径Ｒ１の加工に戻るごとに、第２の上型１０を補充または離脱させる。型補充時は、トグルリンク機構のリンク部材７，８によって付与されるラム２の最大押圧力Ｐｍａｘが不足しないよう、ストローク調整装置３０をその度ごとに作動させて不足分の押圧力を補償する。すなわち、金型の補填ごとに、リンク部材７，８が最大押圧力Ｐｍａｘを発生する上死点前の最大鈍角α°の形状になるように、ストローク調整装置３０の偏心シャフト３４による偏心量Ａだけリンク部材７の変動位置を調整するのである。【００３７】  なお、本実施形態においては、補充される第２の上型１０について型厚さ寸法Ａの場合を説明したが、もちろんそうした型厚さ寸法Ａのものに限定されない。それ以外の厚さ寸法を有する様々な第２の上型１０を補充する場合でも対応可能である。その場合、押圧補助装置３０では第２の上型１０の型厚さ寸法の変更に応じた偏心量に設計した偏心シャフト３４を用いる。したがって、多種の第２の上型１０に応じた多種の偏心シャフト３４を準備し、ピニオンギア３３のギア軸３２上に着脱可能で一体結合する構造とすることができる。このような応用例から第２の上型１０は１つとは限らず、極端には第三、第四・・・に増型することも理解されよう。【００３８】  また、本実施形態では１つのワーク５に対して曲げ径がＲ１からＲ２に工程変化する場合を想定して説明した。これは単に加工例の１つであり、同一の大量枚数のワーク５に対して最初の工程で曲げ径Ｒ１のフランジ曲げ加工を終え、それから曲げ径Ｒ２のフランジ曲げ加工の工程に移行するロット生産においてもちろん適用可能である。【００３９】  その他、本発明の思想や主旨を逸脱しない範囲内でその他の実施形態、応用例、変形例、そしてそれらの組み合わせも可能である。
【図面の簡単な説明】
【００４０】
【図１】本発明に係る好適な実施形態のパネル折り曲げ装置としてＡＣサーボドライブパネルベンダーに適用した場合の装置本体を背面から示す図。
【図２】同図（ａ），（ｂ）は本実施形態の第２の上型補充前においてワーククランプ状態を示す背面図と側面図。
【図３】同図（ａ），（ｂ）は本実施形態の第２の上型補充前においてワークシゴキ曲げ加工例を示す背面図と側面図。
【図４】同図（ａ），（ｂ）は本実施形態の第２の上型補充前においてワークシゴキ曲げ加工終了後の離型を示す背面図と側面図。
【図５】同図（ａ）〜（ｃ）は本実施形態において第２の上型を補充してシゴキ曲げ加工に備えるワーククランプ状態を示す背面図、側面図および要部の押圧補助装置。
【図６】同図（ａ）〜（ｃ）は本実施形態において第２の上型を補充してシゴキ曲げ加工の態様を示す背面図、側面図および要部の押圧補助装置。
【図７】同図（ａ），（ｂ）は本実施形態において第２の上型を補充する態様を示す背面図と側面図。
【図８】本実施形態における型補充スイング機構を示す側面図。
【図９】シゴキ曲げ加工の一例を示す従来の側面図。
【図１０】トグルリンク機構を利用したパネルベンダーの一例を概略的に示す装置の背面図。
【図１１】同図（ａ），（ｂ）はワークを曲げ径Ｒ１と曲げ径Ｒ２でフランジ曲げ加工する場合の二態を示すワーク断面図。
【図１２】第２の上型を補充して曲げ径Ｒ２によるフランジ曲げ加工に対応する態様の一例を示す部分断面による側面図。
【符号の説明】
【００４１】１・・・装置本体フレーム
２・・・ラム
３・・・第１の上型
４・・・下型
５・・・ワーク
６・・・シゴキ曲げ型
７，８・・リンク部材（トグルリンク機構）
９・・・ロッド（トグルリンク機構）
１０・・・第２の上型
２０・・・駆動源機構
２１・・・ＡＣサーボモータ
２２・・・ボールねじ
３０・・・ストローク調整装置
３１・・・ラックギア
３２・・・ピニオンギア軸
３３・・・ピニオンギア
３４・・・偏心シャフト
４０・・・型補充スイング機構
Ａ・・・・偏心量
【図１】
2011218443.tif 000003
【図２】
2011218443.tif 000004
【図３】
2011218443.tif 000005
【図４】
2011218443.tif 000006
【図５】
2011218443.tif 000007
【図６】
2011218443.tif 000008
【図７】
2011218443.tif 000009
【図８】
2011218443.tif 000010
【図９】
2011218443.tif 000011
【図１０】
2011218443.tif 000012
【図１１】
2011218443.tif 000013
【図１２】
2011218443.tif 000014